(57)【要約】【課題】簡単な操作で、楽しく賑やかなアルバムを作ることのできるカメラ及び表示装置並びに電子機器を提供することである。【解決手段】本カメラ１０は、撮影した複数の画像を同時に表示部１８に表示可能である。そして、上記複数の画像の何れかを主要画像の背景として、操作判定部１７によって表示部１８に表示される壁紙状画像としての画像が選択される。ここで選択された画像は、壁紙作成部１１ｂによって壁紙状画像として作成される。すると、表示制御部１１ａによって、表示部１８にて壁紙状画像の前面に上記主要画像を切換えて順次表示する。【選択図】      図１
2010178177.tif 000002
【特許請求の範囲】
【請求項１】
壁紙状画像の上に複数の撮影画像を切換えながら順次表示可能な表示部を有するカメラに於いて、
上記複数の画像の何れかを上記壁紙状画像として選択するための画像選択部を具備することを特徴とするカメラ。
【請求項２】
上記画像選択部で選択された上記壁紙状画像を、上記画像切換え時に次に表示される画像の壁紙として適用するように制御する表示制御部を更に具備することを特徴とする請求項１に記載のカメラ。
【請求項３】
上記画像選択部で選択される壁紙状画像は、画面中心部に笑顔の人物がいない画像であることを特徴とする請求項１に記載のカメラ。
【請求項４】
撮影した複数の画像を同時に表示部に表示可能なカメラであって、
上記複数の画像の何れかを主要画像の背景として上記表示部に表示される壁紙状画像として選択するための画像選択部と、
上記画像選択部で選択された画像を上記壁紙状画像として作成する壁紙作成部と、
上記表示部にて上記壁紙状画像の前面に上記主要画像を切換えて順次表示する表示制御部と、
を具備することを特徴とするカメラ。
【請求項５】
上記表示制御部は、上記画像選択部で選択された上記壁紙状画像を上記画像切換え時に次に表示される画像の壁紙として適用するように制御することを特徴とする請求項４に記載のカメラ。
【請求項６】
上記壁紙作成部は、上記表示部に既に表示された上記主要画像を壁紙状画像として作成することを特徴とする請求項５に記載のカメラ。
【請求項７】
上記複数の画像を記憶する記録部を更に具備し、
上記壁紙作成部は、上記記録部に記録された上記主要画像を壁紙状画像として作成することを特徴とする請求項６に記載のカメラ。
【請求項８】
上記画像選択部は、画面周辺部に笑顔が有る画像を壁紙状画像として選択することを特徴とする請求項４乃至７の何れか１項に記載のカメラ。
【請求項９】
上記画像選択部は、画面中心部に笑顔の人物がいない画像を壁紙状画像として選択することを特徴とする請求項４乃至７の何れか１項に記載のカメラ。
【請求項１０】
上記画像選択部は、画面中心部に顔が存在しない画像を壁紙状画像として選択することを特徴とする請求項４乃至７の何れか１項に記載のカメラ。
【請求項１１】
上記壁紙作成部は、上記画像選択部で選択された画像の略中央部に顔が存在する場合に当該選択画像の位置を移動させて上記顔の位置を変更することを特徴とする請求項４乃至７の何れか１項に記載のカメラ。
【請求項１２】
複数の画像を同時に表示可能な表示部と、
上記複数の画像の何れかを主要画像の背景として上記表示部に表示される壁紙状画像として選択するための画像選択部と、
上記画像選択部で選択された画像を上記壁紙状画像として作成する壁紙作成部と、
上記表示部にて上記壁紙状画像の前面に上記主要画像を切換えて順次表示する表示制御部と、
を具備することを特徴とする表示装置。
【請求項１３】
上記表示制御部は、上記画像選択部で選択された上記壁紙状画像を上記画像切換え時に次に表示される画像の壁紙として適用するように制御することを特徴とする請求項１２に記載の表示装置。
【請求項１４】
上記壁紙作成部は、上記表示部に既に表示された上記主要画像を壁紙状画像として作成することを特徴とする請求項１３に記載の表示装置。
【請求項１５】
上記複数の画像を記憶する記録部を更に具備し、
上記壁紙作成部は、上記記録部に記録された上記主要画像を壁紙状画像として作成することを特徴とする請求項１４に記載の表示装置。
【請求項１６】
上記画像選択部は、画面周辺部に笑顔が有る画像を壁紙状画像として選択することを特徴とする請求項１２乃至１５の何れか１項に記載の表示装置。
【請求項１７】
上記画像選択部は、画面中心部に笑顔の人物がいない画像を壁紙状画像として選択することを特徴とする請求項１２乃至１５の何れか１項に記載の表示装置。
【請求項１８】
上記画像選択部は、画面中心部に顔が存在しない画像を壁紙状画像として選択することを特徴とする請求項１２乃至１５の何れか１項に記載の表示装置。
【請求項１９】
上記壁紙作成部は、上記画像選択部で選択された画像の略中央部に顔が存在する場合に当該選択画像の位置を移動させて上記顔の位置を変更することを特徴とする請求項１２乃至１５の何れか１項に記載の表示装置。
【請求項２０】
主要画像の背景となる壁紙状画像の上に上記複数の主要画像を切換えながら順次表示可能な電子機器に於いて、
上記複数の画像の何れかを上記壁紙状画像として選択するための画像選択部を具備することを特徴とする電子機器。
【請求項２１】
上記画像選択部で選択された上記壁紙状画像を上記画像切換え時に次に表示される画像の壁紙として適用するように制御する制御部を更に具備することを特徴とする請求項２０に記載の電子機器。
【請求項２２】
上記壁紙作成部は、上記表示部に既に表示された上記主要画像を壁紙状画像として作成することを特徴とする請求項２１に記載の電子機器。
【請求項２３】
上記複数の画像を記憶する記録部を更に具備し、
上記壁紙作成部は、上記記録部に記録された上記主要画像を壁紙状画像として作成することを特徴とする請求項２２に記載の電子機器。
【請求項２４】
上記画像選択部は、画面周辺部に笑顔が有る画像を壁紙状画像として選択することを特徴とする請求項２０乃至２３の何れか１項に記載の電子機器。
【請求項２５】
上記画像選択部は、画面中心部に笑顔の人物がいない画像を壁紙状画像として選択することを特徴とする請求項２０乃至２３の何れか１項に記載の電子機器。
【請求項２６】
上記画像選択部は、画面中心部に顔が存在しない画像を壁紙状画像として選択することを特徴とする請求項２０乃至２３の何れか１項に記載の電子機器。
【請求項２７】
上記壁紙作成部は、上記画像選択部で選択された画像の略中央部に顔が存在する場合に当該選択画像の位置を移動させて上記顔の位置を変更することを特徴とする請求項２０乃至２３の何れか１項に記載の電子機器。
【発明の詳細な説明】
【技術分野】
【０００１】
本発明はカメラ及び表示装置並びに電子機器に関し、より詳細には、所謂、デジタルカメラやカメラ付携帯電話など、表示部を有する撮影、表示機器の改良に関するものである。
【背景技術】
【０００２】
近年、メモリの大容量化や低価格化が進み、カメラ内にこれを内蔵して、ここに大量の画像を保存することが可能となっている。
【０００３】
また、カメラ背面に設けられている液晶等、表示パネルも大型画面化が進み、保存された画像をここで表示して鑑賞するような用途が一般的になっている。
【０００４】
一方で、写真を装飾して楽しいアルバム作りを行いたいという要望も強い。そのため、画像の表示時に、このような装飾がついた画面をカメラの表示パネルに表示するような技術の登場が待たれていた。
【０００５】
また、撮影画像でアルバムを作成するような技術が追求されている。その一例として、本件出願人による下記特許文献１には、撮影時にテンプレートを表示してアルバム効果を確認しながら撮影するカメラが記載されている。
【先行技術文献】
【特許文献】
【０００６】
【特許文献１】特開２００７−１０４３３６号公報
【発明の概要】
【発明が解決しようとする課題】
【０００７】
しかしながら、上記特許文献１に記載のカメラでは、撮影時に、テンプレート撮影モードの設定が必要であり、操作方法に改善の余地を有している。
【０００８】
したがって本発明は上記実情に鑑みてなされたものであり、その目的は、簡単な操作で、楽しく賑やかなアルバムを作ることのできるカメラ及び表示装置並びに電子機器を提供することである。
【課題を解決するための手段】
【０００９】
すなわち本発明は、壁紙状画像の上に複数の撮影画像を切換えながら順次表示可能な表示部を有するカメラに於いて、上記複数の画像の何れかを上記壁紙状画像として選択するための画像選択部を具備することを特徴とする。
【００１０】
また本発明は、撮影した複数の画像を同時に表示部に表示可能なカメラであって、上記複数の画像の何れかを主要画像の背景として上記表示部に表示される壁紙状画像として選択するための画像選択部と、上記画像選択部で選択された画像を上記壁紙状画像として作成する壁紙作成部と、上記表示部にて上記壁紙状画像の前面に上記主要画像を切換えて順次表示する表示制御部と、を具備することを特徴とする。
【００１１】
更に本発明は、複数の画像を同時に表示可能な表示部と、上記複数の画像の何れかを主要画像の背景として上記表示部に表示される壁紙状画像として選択するための画像選択部と、上記画像選択部で選択された画像を上記壁紙状画像として作成する壁紙作成部と、上記表示部にて上記壁紙状画像の前面に上記主要画像を切換えて順次表示する表示制御部と、を具備することを特徴とする。
【００１２】
そして、本発明は、主要画像の背景となる壁紙状画像の上に上記複数の主要画像を切換えながら順次表示可能な電子機器に於いて、上記複数の画像の何れかを上記壁紙状画像として選択するための画像選択部を具備することを特徴とする。
【発明の効果】
【００１３】
本発明によれば、簡単な操作で、楽しく賑やかなアルバムを作ることのできるカメラ及び表示装置並びに電子機器を提供することができる。
【図面の簡単な説明】
【００１４】
【図１】本発明の一実施形態に係るカメラの概略構成を示すブロック図である。
【図２】本発明の一実施形態に於けるカメラ１０の再生モードによる表示を説明するための図である。
【図３】本発明の一実施形態に於けるカメラ１０の制御動作を説明するためのフローチャートである。
【図４】図３のフローチャートのステップＳ１３に於けるサブルーチン「アルバム再生」の処理動作について説明するためのフローチャートである。
【図５】図４のフローチャートのステップＳ３０に於けるサブルーチン「表示済みまたは表示中画像から最適壁紙画像決定」の動作を説明するためのフローチャートである。
【図６】本発明の一実施形態に於けるカメラ１０の再生画像について説明する図である。
【発明を実施するための形態】
【００１５】
以下、図面を参照して本発明の実施形態について説明する。
【００１６】
図１は、本発明の一実施形態に係るカメラの概略構成を示すブロック図である。
【００１７】
本実施形態に於けるカメラ１０は、画像処理及び制御部１１と、撮影レンズ（レンズ）１２と、撮像部１３と、顔検出部１４と、記録部１５と、操作判定部１７と、表示部１８と、時計部１９とを有して構成される。
【００１８】
画像処理及び制御部１１は、このカメラ１０全体の制御動作を司ると共に、撮像部１３により取得された画像のエッジ強調、色補正、画像圧縮等の画像処理や、画像選択を行うものである。また、画像処理及び制御部１１は、その内部に表示制御部１１ａと、壁紙作成部１１ｂとを有している。壁紙作成部１１ｂは、アルバムの台紙のように画像の背景として表示される壁紙を作成する。この作成された壁紙により、複数の画像を表示部１８に順次表示する際に、その壁紙上に画像を表示できるように表示制御部１１ａが制御している。
【００１９】
撮影レンズ１２は、図示されない被写体からの撮影光束を撮像部１３に導くものである。そして、この撮像部１３では、画像処理及び制御部１１によって、図示されないシャッタ等により所定時間露光制御されて、撮影レンズ１２を介して得られた画像が取り込まれる。ここで取り込まれた画像は、画像処理及び制御部１１にて、エッジ強調、色補正、画像圧縮等の画像処理が行われた後、記録部１５に記録される。
【００２０】
顔検出部１４は、周知の顔画像認識処理等により、撮像部に取り込まれた画像中の顔画像を検出するためのものである。記録部１５は、上述した画像処理が施された画像や後述補する日時データ等を記憶するためのものである。操作判定部１７は、カメラの各種モードのスイッチや電源スイッチ、レリーズスイッチ等の各種スイッチ及び判定部から構成される。ユーザが何れかのスイッチを操作すると、画像処理及び制御部１１がこれを検出するようになっている。また、操作判定部１７は、画像処理及び制御部１１と共に、後述する壁紙を選択する際の画像選択部としても機能する。
【００２１】
表示部１８は、画像処理及び制御部１１内の表示制御部１１ａによって制御されるもので、上述した被写体の画像、日時データに対応する文字情報や、壁紙を表示する。時計部１９は、撮影時の日時データを出力するためのものである。この日時データと画像が記録部１５に一緒に記録されて検索しやすいようにすることにより、再生時の順番等を容易に決定することができる。
【００２２】
このような構成のカメラ１０に於いて、撮影モード時には、撮影前であってもカメラ電源がオンされた状態であれば、逐次撮像部１３から画像を取得し、表示部１８に表示することによって、撮影者がフレーミングやシャッタチャンスを確認できるようになっている。また、表示部１８は、単に、画面いっぱいに画像を表示するだけでなく、例えば、撮影モードでは、表示画像を装飾する壁紙画像を作成して、それと一緒に画像を表示したりできるようになっている。このような制御は、表示制御部１１ａにより行われる。
【００２３】
次に、図２を参照して、上述した構成のカメラ１０の再生モードによる表示について説明する。
【００２４】
図２は、本実施形態に於けるカメラ１０の再生モードによる表示を説明するための図である。
【００２５】
初めに、図２（ａ）〜（ｃ）に示される撮影画像について説明する。図２（ａ）に示されるような人物２１ａと風景２１ｂを映した撮影画像（画像）２１がある場合、この画像２１は画面中心部にコントラストの低い部分が大きく、ここに何かを表示しても良いと考えられる。また、笑顔の人物２１ａが周辺部にいるので、この人物２１ａがこのアルバムに於ける主人公である確立が高い。
【００２６】
しかし、図２（ｂ）や図２（ｃ）に示される画像２２、２３は、それぞれの画面中央部に人物２２ａ、２３ａ、２３ｂ等のコントラストが高い部分が存在している。したがって、この部分に何かを表示すると、主人公が消えてしまう可能性がある。
【００２７】
また、図２（ａ）、（ｂ）に示されるような画像２１、２２を、図２（ｄ）、（ｅ）に示されるような壁紙２４、２５として使用するには、肝心の主人公が同時に見えている方が好ましい。したがって、壁紙２４、２５の人物２１ａと共に主要画像２２1 、２３1 が表示されるようにする。更に、図２（ｂ）に示されるような画像２２も、図２（ｆ）に示されるように、周辺に人物２２ａの顔を寄せれば、主要画像２３1 の壁紙２６として利用が可能である。
【００２８】
しかしながら、図２（ｃ）に示されるように、真ん中に複数の人物２３ａ、２３ｂの顔が存在する画像２３は、こうした壁紙として処理するには、他のものより画像の修正を大きくする必要があり、壁紙優先度を下げざるをえない。
【００２９】
このように、本実施形態では、記録部１５に記録されている画像を壁紙として使用するだけでなく、壁紙化に相応しい画像かどうかを判定する処理を有している。
【００３０】
次に、図３乃至図５のフローチャートを参照して、本実施形態に於けるカメラ１０の動作について説明する。
【００３１】
図３は、本発明の一実施形態に於けるカメラ１０の制御動作を説明するためのフローチャートである。
【００３２】
尚、この制御動作は、主に画像処理及び制御部１１によって行われる。
【００３３】
本シーケンスが開始されると、先ずステップＳ１に於いて、操作判定部１７内の図示されない電源スイッチの状態が判定される。ここで、電源がオンされている場合は、ステップＳ２に移行する。これにより、後述する撮影モード、再生モードが判定可能な状態となる。
【００３４】
ステップＳ２に於いては、カメラ１０が撮影モードであるか否かが判定される。ここで、撮影モードである場合は、ステップＳ３に移行し、撮像部１３からの画像信号によって画像の中に人物の顔があるかの検出が行われる。次いで、ステップＳ４にて、この画像（特に顔部）が適正に表示されるように、画像処理及び制御部１１にて露出演算が行われる。そして、ステップＳ５にて、上記ステップＳ４で演算された画像が、表示部１８にスルー画として表示される。
【００３５】
このような顔検出の処理によって、人物の顔の場所や数、大きさ、更には顔のパーツの変化に従って、笑顔かどうかを判定することが可能となっている。
【００３６】
次に、ステップＳ６に於いて、図示されないレリーズスイッチによるレリーズ操作の状態が判定される。ここで、レリーズ操作が行われると、ステップＳ７に移行して撮像部１３による露出動作や、続くステップＳ８にて記録部１５への記録動作が行われる。その後、上記ステップＳ１に移行する。
【００３７】
尚、上記ステップＳ６にて、レリーズ操作がされなかった場合は、上記ステップＳ１へ移行する。
【００３８】
また、上記ステップＳ２に於いて、撮影モードでない場合はステップＳ９に移行する。そして、ステップＳ９にて、再生モードであるか否かが判定される。ここで、再生モードでない場合は上記ステップＳ１に移行し、再生モードである場合はステップＳ１０に移行して、再生用のプログラムが作動する。
【００３９】
ステップＳ１０に於ける再生モードでは、先ず、最後に撮影された画像が表示される。次いで、ステップＳ１１にて、ユーザによって何らかの操作が行われたか否かが判定される。ここで、何も操作が行われない場合は上記ステップＳ１へ移行する。これに対し、何らかの操作が行われた場合は、ステップＳ１２に移行して、アルバム再生であるか否かが判定される。
【００４０】
ステップＳ１２にてアルバム再生が指定されると、ステップＳ１３に移行して、サブルーチン「アルバム再生」が実行された後、上記ステップＳ１１に移行する。尚、このサブルーチン「アルバム再生」の詳細な動作については後述する。
【００４１】
一方、上記ステップＳ１２にて、アルバム再生以外の操作が指定された場合は、ステップＳ１４に移行する。そして、このステップＳ１４にて、小画像を並べて一覧表示するサムネイル再生であるか否かが判定される。その結果、サムネイル再生が指定された場合は、ステップＳ１５に移行して、表示部１８にサムネイル画像の表示がなされる。
【００４２】
次いで、ステップＳ１６では、上記ステップＳ１５にてサムネイル表示された画像の中から選択画像があるか否かが判定される。ここで、選択された画像がある場合は、ステップＳ１７に移行して、当該選択画像が拡大されて表示部１８に表示される。その後、上記ステップＳ１１に移行する。一方、サムネイル表示の状態で選択された画像が無い場合は、そのまま上記ステップＳ１１に移行する。
【００４３】
また、上記ステップＳ１４にてサムネイル再生で無い場合は、ステップＳ１８に移行して、単純に画像送りがなされる。この場合、先に最後に撮影された画像が再生されているので、１コマ前の画像が表示部１８に表示される。その後、上記ステップＳ１１に移行する。
【００４４】
次に、図３のフローチャートのステップＳ１３に於けるサブルーチン「アルバム再生」の処理動作について説明する。
【００４５】
図４は、図３のフローチャートのステップＳ１３に於けるサブルーチン「アルバム再生」の処理動作について説明するためのフローチャートである。
【００４６】
本サブルーチンに入ると、先ず、ステップＳ２１にて、カメラ１０の時計部１９の機能が利用されて、所定期間中に撮影された画像が集められて、アルバムとして取り扱うことができるようにされる。もちろん、ＧＰＳ等、位置センサを有しているカメラであれば、場所毎（旅行先のみ）のアルバムを作ることができ、個人特定が可能なカメラでは、個人毎のアルバムを作るようにしてもよい。
【００４７】
このようにしておくと、図６（ａ）に示されるように、ステップＳ２２にてカメラ１０の表示部１８に、擬似的な本棚がアルバム背表紙として表示される。次いで、ステップＳ２３に於いて、アルバムの選択操作が行われたか否かが判定される。ここで、選択操作が行われない場合は、ステップＳ２４に移行し、本サブルーチンを終了するか否かが判定される。終了しない場合は上記ステップＳ２３へ移行し、終了する場合は本サブルーチンを抜けて図３のフローチャートのステップＳ１１へ移行する。
【００４８】
上記ステップＳ２３で選択操作が行われた場合、例えば、図６（ａ）に示されるアルバム３１ａ、３１ｂ、３１ｃの何れかが操作判定部１７によって選択された場合は、ステップＳ２５に移行して、そのアルバムが開かれて、ページ毎に見ていくような表示が可能となる。すなわち、図６（ｂ）は、図６（ａ）に示されるアルバム３１ａ、３１ｂ、３１ｃの何れかが開かれて台紙（ページ）３２が表示されている状態である。尚、図６（ｂ）では、太線部の台紙が選択されて表示される部分として示されている。
【００４９】
次に、ステップＳ２６では、上記ステップＳ２３で選択されたアルバムの中で、撮影時期が一番古い複数の画像群が、１ページに表示されるようにする。図６（ｃ）は、図６（ｂ）の台紙３２に貼り付けられた画像３３ａ及び３３ｂが表示された状態を示している。尚、ここでは２枚の画像が表示された例が示されているが、これに限られるものではなく、例えば３枚、４枚であってもよい。
【００５０】
ステップＳ２７では、本サブルーチンを終了するか否かが判定される。終了しない場合はステップＳ２８へ移行し、終了する場合は本サブルーチンを抜けて図３のフローチャートのステップＳ１１へ移行する。
【００５１】
ステップＳ２８では、ユーザによって台紙をめくる操作が行われたか否かが判定される。ここで、台紙をめくる操作が行われない場合は上記ステップＳ２７へ移行するが、めくる操作が行われた場合は、続くステップＳ２９にて次の画像の有無が判定される。その結果、次画像が無い場合は上記ステップＳ２７に移行し、ある場合はステップＳ３０に移行する。
【００５２】
ステップＳ３０では、すでに表示された画像から最適の壁紙画像が選択される、サブルーチン「表示済みまたは表示中画像から最適壁紙画像決定」が実行される。尚、このサブルーチン「表示済みまたは表示中画像から最適壁紙画像決定」の処理動作の詳細については後述する。
【００５３】
次いで、ステップＳ３１に於いては、次の画像を表示する中央部分の画像表示部に、壁紙画像の顔が重なるか否かが判定される。これは、図２（ｂ）、（ｃ）に示されるように、略中央部に顔がある画像なども、壁紙にすることができるようにするためのものである。そのため、壁紙画像の顔が重なる場合は、ステップＳ３２に移行して重なる顔の位置をシフトしたり、拡大、縮小等の操作を行ったりして、この重なりが起こらないようにする。これによって、図２（ｆ）に示されるような壁紙２６を有するアルバム表示が可能となる。
【００５４】
そして、ステップＳ３３にて、上記ステップＳ３０にて決定された画像、または決定されてステップＳ３２にて顔位置がシフトされた画像が背景に設定される。すると、続くステップＳ３４にて、背景に設定された画像が壁紙とされて次の画像群が表示される。この結果、図６（ｅ）に示されるように、壁紙３５に貼り付けられた主要画像３４ａ、３４ｂが表示された画面となる。
【００５５】
この画面は、図６（ｂ）に示されるようなアルバム内のページ（太線部）の次のページ（図６（ｄ）参照）の表示例である。つまり、図６（ｃ）に示される画像３３ａ、３３ｂのどちらが壁紙に向いているかの判定（後述する図５のフローチャートを参照）が反映されている。
【００５６】
尚、上述したステップＳ３２の顔位置のシフトは、どの方向にシフトするものであってもよく、拡大、縮小等の操作も含んでいる。また、背景となる画像の顔部の位置のシフトに限られることなく、背景となる画像に対する主要画像の位置をシフト、拡大、縮小させるようにしてもよい。更には、背景となる画像と主要画像の両者についてシフト等を行うようにするものであってもよい。
【００５７】
図５は、図４のフローチャートのステップＳ３０に於けるサブルーチン「表示済みまたは表示中画像から最適壁紙画像決定」の動作を説明するためのフローチャートである。
【００５８】
このサブルーチンに於いては、必ず、何れかの画像が壁紙に採用されるように、適切度を数値化するような処理が行われるようにしている。つまり、所定の条件を満たすと採点が上がり、その他の所定の条件を満たすと採点が下がるようにしている。そして、その結果、採点の高いものが壁紙の候補とされる。
【００５９】
本サブルーチンに入ると、先ず、ステップＳ４１にて、すでに表示された画像（図６（ｃ））の中から各画像について顔画像の有無の判定処理がなされる。次いで、ステップＳ４２にて、採点付け（ここでは採点結果をＫ値とする）が行われる。ここでは、周知の技術により、顔パーツの特徴から笑顔か否かが判定される。そして、ステップＳ４３にて、Ｋ値が初期化される。
【００６０】
次に、ステップＳ４４に於いて、図２（ａ）に示されるように、画像の周辺に顔があり、且つその顔が笑顔かどうかが判定される。ここで、この条件が満たされれば、ステップＳ４５に移行してＫ値が１０倍される。その後、ステップＳ４６へ移行する。また、上記条件が満たされない場合は、ステップＳ４５がスキップされる。
【００６１】
ステップＳ４６では、画像の中央部に笑顔が有る、または複数の顔が有るか否かが判定される。この場合、中央部がかなり重要な画像を含んでいると考えられるので、この条件が満たされたならば、ステップＳ４７に移行してＫ値が１／１０にされる。これは、例えば、周辺に笑顔があったとしても、あまり親しくない人との集合写真である場合、その人が壁紙に採用されると、せっかくのアルバムの装飾が、満足できないものになると考えられるからである。
【００６２】
また、上記ステップＳ４６にて、中央部に笑顔も複数の顔が無い場合は、ステップＳ４８に移行して中央部に顔が有るか否かが判定される。ここで、中央部に顔が無ければ、なお他の画像を表示するスペースがあると考えられるため、壁紙に適切であるとしてステップＳ４９に移行する。一方、顔が有る場合は、ステップＳ４９に移行する。この場合、画像の真ん中の顔は笑顔ではないことが、上記ステップＳ４６にて判定されているので、この部分を隠してもそれほど問題はないと考えられる。したがって、上記ステップＳ４５のように１／１０ではなく、Ｋ値は１／５に設定される。
【００６３】
このような計算が、ステップＳ５０にて表示済みの各画像について判定される。そして、対象候補となる画像全てが終了するまでは、ステップＳ５１に移行して別画像が読み出された後、上記ステップＳ４２に移行する。このようにして、対象候補となる画像全てについて判定が繰り返される。
【００６４】
そして、ステップＳ５０にて対象候補となる画像全ての判定が終了したならば、ステップＳ５２に移行して、Ｋ値が一番高いものが候補画像とされる。ステップＳ５３では、この候補画像が複数有るか否かが判定される。その結果、候補画像が１つであれば、本サブルーチンを抜けて図４のフローチャートのステップＳ３１に移行する。一方、候補画像が複数有る場合は、ステップＳ５４に移行して、古い画像が優先されて壁紙表示が行われるようにする。その後、本サブルーチンを抜けて図４のフローチャートのステップＳ３１に移行する。
【００６５】
尚、上記ステップＳ５４にて、候補画像が複数有る場合は古い画像が優先されて壁紙表示されるとしたが、これは最新の画像が優先されると、壁紙となる背景画像と主要画像が似通ってしまう、次に表示される主要画像がわかって楽しみが減少する等の理由からである。したがって、候補画像が複数ある場合、古い画像が優先されることに限定されるものではない。
【００６６】
また、背景の候補画像が複数ある場合、ユーザが操作判定部１７を用いて選択するようにすることも可能である。
【００６７】
このように、本実施形態によれば、写真鑑賞時に、壁紙を自動作成するので、楽しく、賑やかなアルバム鑑賞が可能となる。
【００６８】
尚、上述した実施形態ではカメラを例として説明したが、本発明は、カメラ以外の単なる表示装置や携帯電話等にも適用が可能であるのは勿論である。
【００６９】
以上、本発明の実施形態について説明したが、本発明は上述した実施形態以外にも、本発明の要旨を逸脱しない範囲で種々の変形実施が可能である。
【００７０】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【産業上の利用可能性】
【００７１】
本発明によれば、アルバムを内部に作ることが可能なカメラ及び表示装置並びに電子機器に於いて、アルバムを賑やかにするために、画面周辺にいる笑顔等、表情の変化の大きい人物の画像を、アルバムの背景として優先的に利用することができる。
【符号の説明】
【００７２】
１０…カメラ、１１…画像処理及び制御部、１１ａ…表示制御部、１１ｂ…壁紙作成部、１２…撮影レンズ（レンズ）、１３…撮像部、１４…顔検出部、１５…記録部、１７…操作判定部、１８…表示部、１９…時計部、２１、２２、２３、３３ａ、３３ｂ…画像、２２ａ、２３ａ、２３ｂ…人物、２２1 、２３1 、３４ａ、３４ｂ…主要画像、２４、２５、２６…壁紙、３１ａ、３１ｂ、３１ｃ…アルバム、３２…台紙（ページ）。
【図１】
2010178177.tif 000003
【図２】
2010178177.tif 000004
【図３】
2010178177.tif 000005
【図４】
2010178177.tif 000006
【図５】
2010178177.tif 000007
【図６】
2010178177.tif 000008